(57)【要約】【課題】  １台のミリ波無線送信機からのミリ波無線信号を複数のミリ波無線受信機で受信することができるようにし、特にミリ波無線受信機の設置位置に応じて分岐方向を変更可能にする。【解決手段】  反射鏡２は、接触板６と、反射面８ａとを、有している。反射鏡４は接触板６と面接触している接触板１０と、反射面１２ａとを、有している。接触板６、１０にほぼ直交して通る仮想線１８の回りに、接触板６、１０を蝶ネジ１４とナット１６が相対回転させる。【選択図】        図１
2011166611.tif 000002
【特許請求の範囲】
【請求項１】
平板状の第１の接触部と、この第１の接触部に対して予め定めた第１の角度をなすように配置され、ミリ波信号を反射する第１の反射面とを、有する第１の反射手段と、
平板状に形成され、前記第１の接触部と面接触している第２の接触部と、この第２の接触部に対して予め定めた第２の角度をなし第１の反射面と反対方向に伸び、前記ミリ波信号を反射する第２反射面とを、有する第２の反射手段と、
第１及び第２の接触部にほぼ直交して通る仮想線の回りに、第１及び第２の接触部を相対回転させる相対回転手段とを、
具備するミリ波多分岐装置。
【請求項２】
請求項１記載のミリ波多分岐装置において、前記第１の反射面は、前記第１の接触部に対してほぼ直角に設けられているミリ波多分岐装置。
【請求項３】
請求項１または２記載のミリ波多分岐装置において、前記第２の反射面は、前記第２の接触部に対して鋭角をなすように設けられているミリ波多分岐装置。
【請求項４】
請求項３記載のミリ波多分岐装置において、前記第２の反射面は、前記第２の接触部に対してほぼ４５度をなすように設けられているミリ波多分岐装置。
【請求項５】
請求項１乃至４いずれか記載のミリ波多分岐装置において、前記第１及び第２の接触部の一方には、前記仮想線を通る予め定めた基準線に対する角度を指示する角度指示手段が設けられ、前記第１及び第２の接触部の他方には、前記仮想線を中心とする仮想円弧状に位置し、前記基準線に対する角度を表す角度表示部が設けられたミリ波多分岐装置。
【請求項６】
請求項１乃至５いずれか記載のミリ波多分岐装置において、前記第１及び第２の反射手段の一方が固定されているミリ波多分岐装置。
【請求項７】
請求項１乃至６いずれか記載のミリ波多分岐装置において、前記仮想線に直交しかつ前記第１及び第２の反射面と非交差の軸の回りに第１及び第２の反射手段を回転可能とする角度調整手段を、第１及び第２の反射手段の一方に設けたミリ波多分岐装置。
【発明の詳細な説明】
【技術分野】
【０００１】
本発明は、ミリ波無線信号を複数の方向に分岐するミリ波多分岐装置に関するものである。
【背景技術】
【０００２】
ミリ波無線伝送システムとしては、例えば特許文献１に開示されているようなものがある。特許文献１の技術は、建築物の天井空間や床下空間に設置された送信機からミリ波無線信号を天井空間または床下空間に送信する。受信機が設置された建築物の部屋の天井または床下には、前記送信機から天井または床下空間に送信されたミリ波無線信号を前記受信機側に反射させる反射板が設けられている。
【先行技術文献】
【特許文献】
【０００３】
【特許文献１】特開２００７−２７４１４７号公報
【発明の概要】
【発明が解決しようとする課題】
【０００４】
特許文献１の技術によれば、天井や床下を利用してミリ波無線信号を伝送し、反射器によって部屋にミリ波無線信号を反射させて受信機に供給しているので、受信機の設置位置に制約を受けないが、送信機と受信機とが１対１の関係であるので、多数の受信機に同一のミリ波無線信号を伝送する場合には、多数の送信機が必要になる。
【０００５】
本発明は、１台の送信手段から送信されたミリ波無線信号を複数の受信手段で受信することができるようにするミリ波多分岐装置を提供することを目的とする。
【課題を解決するための手段】
【０００６】
本発明の一態様のミリ波多分岐装置は、第１及び第２の反射手段を有している。第１の反射手段は、平板状の第１の接触部と、この第１の接触部に対して予め定めた第１の角度をなすように配置され、ミリ波無線信号を反射する第１の反射面とを、有している。第２の反射手段は、平板状に形成され、前記第１の接触部と面接触している第２の接触部と、この第２の接触部に対して予め定めた第２の角度をなし第１の反射面と反対方向に伸び、前記ミリ波無線信号を反射する第２反射面とを、有している。第１及び第２の角度としては鋭角、直角及び鈍角のいずれの角度とすることもできる。第１及び第２の反射面は、金属を使用することもできるし、合成樹脂のような絶縁体の表面に反射膜を貼り付けたものを使用することもできる。第１及び第２の接触部にほぼ直交して通る仮想線の回りに、第１及び第２の接触部を相対回転手段が相対回転させる。仮想線が鉛直となるように第１及び第２の反射手段を配置することもできるし、仮想線が水平となるように、或いは水平面と鉛直面とにそれぞれ所定の角度をなすように、第１及び第２の反射手段を配置することもできる。相対回転手段としては、前記仮想線に一致するように配置された回転軸を使用することもできるし、第１及び第２の接触部の一方に設けられ仮想線を中心とする円弧状の溝と、この円弧状の溝に沿って移動可能に第１及び第２の接触部の他方に設けられた案内部材とを有するものとすることもできる。
【０００７】
このように構成したミリ波多分岐装置では、第１及び第２の反射手段を仮想線の回りに相対回転させることができるので、適切に第１及び第２の反射手段を相対回転させることによって同一のミリ波送信源からのミリ波無線信号を、異なる方向に分岐させることができる。しかも、第１及び第２の反射手段の少なくとも一方では、分岐させる方向を任意に変更することができる。
【０００８】
前記第１の反射面を、前記第１の接触部に対してほぼ直角に設けることができる。これによって、例えば第２の接触部を固定し、第１の接触部を仮想線の回りに回転させると、ミリ波無線信号を仮想線の回りの任意の方向に反射させることができる。
【０００９】
前記第２の反射面を、前記第２の接触部に対して鋭角をなすように設けることもできる。この場合、概ね第２の接触部から第１の接触部と反対方向に概ね仮想線に沿って反射させたミリ波無線信号を伝送させることができる。第２の反射面を、前記第２の接触部に対してほぼ４５度をなすように設けたならば、第２の接触部から第１の接触部と反対方向に仮想線に沿って反射させたミリ波無線信号を伝送させることができる。
【００１０】
前記第１及び第２の接触部の一方には、前記仮想線を通る予め定めた基準線に対する角度を指示する角度指示手段を設けることができる。この場合、前記第１及び第２の接触部の他方には、前記仮想線を中心とする仮想円弧状に位置し、前記基準線に対する角度を表す角度表示部が設けられる。例えば第１の接触部に角度指示手段を設けた場合、第２の接触部に角度表示部が設けられ、第１の接触部に角度表示部を設けた場合、第２の接触部に角度指示手段が設けられる。このように構成された第１及び第２の反射手段のうち一方が基準線に対してなす角度を容易に知ることができ、特に、第１及び第２の反射手段のうち仮想線の回りに回転させるものにおけるミリ波無線信号を反射させる方向の決定を容易に行える。
【００１１】
前記第１及び第２の反射手段の一方を固定することもできる。このように構成した場合、例えば第２の反射手段を固定した場合、第１の反射手段を仮想線の回りに回転させることができ、第１の反射手段を固定した場合、第２の反射手段を仮想線の回りに回転させることができる。
【００１２】
前記仮想線に直交しかつ前記第１及び第２の反射面と非交差の軸の回りに第１及び第２の反射手段を回転可能とする角度調整手段を、第１及び第２の反射手段の一方に設けることもできる。このように構成すると、前記仮想線が所定の直線、例えば鉛直線または水平線に一致するように多分岐ミリ波分岐装置を取り付けることができていない場合でも、角度を調整することによって仮想線を鉛直線または水平線に一致させた状態とすることができる。
【発明の効果】
【００１３】
以上のように、本発明によれば、１台の送信手段から送信されたミリ波無線信号を複数の受信手段で受信することができるように分岐することができ、特に、少なくとも１つの分岐方向を任意に変更することができる。
【図面の簡単な説明】
【００１４】
【図１】本発明の第１の実施形態のミリ波多分岐装置の側面図である。
【図２】図１のミリ波多分岐装置の平面図である。
【図３】図１のミリ波多分岐装置による分岐状態の説明図である。
【図４】図１のミリ波多分岐装置による分岐角度の調整の説明図である。
【図５】本発明の第２の実施形態のミリ波多分岐装置の側面図である。
【図６】本発明の第３の実施形態のミリ波多分岐装置の側面図である。
【図７】図６のミリ波多分岐装置の平面図である。
【発明を実施するための形態】
【００１５】
本発明の第１の実施形態のミリ波多分岐装置１は、ミリ波無線信号を多分岐するもので、ミリ波無線信号としては、例えば地上デジタルテレビジョン放送信号、衛星放送中間周波信号、衛星通信中間周波信号等をミリ波帯に周波数変換したものを使用することができる。このミリ波多分岐装置１は、例えば天井付近の見通しのよい場所に設置され、図１及び図２に示すように、第１の反射手段、例えば反射鏡２と第２の反射手段、例えば反射鏡４とを有している。
【００１６】
反射鏡２は、第１の接触部、例えば接触板６を有している。接触板６は、平板状体、例えば図２に示すように平面形状が五角形状のものである。この五角形状の接触板６の底辺に相当する縁部には、反射部８が接触板６と一体に形成されている。反射部８は、接触板６の底辺に相当する縁部と同じ長さの縁部を有し、この縁部から接触板６の上方側に伸び、接触板６に対して第１の角度、例えば９０度の角度をなしている。この反射部８の接触板６と反対側の面が反射面８ａとされている。接触板６と反射部８とは、例えば金属製とすることもできるし、或いは合成樹脂製とし、反射面８ａとなる面に反射膜を形成したものとすることもできる。
【００１７】
反射鏡４は、第２の接触部、例えば接触板１０を有している。接触板１０は、平板状体、例えば矩形に形成され、その平面形状の面積が、接触板６の平面形状の面積よりも大きいものである。接触板１０は、接触板６と面接触しており、この面接触状態で、反射部８が設けられている辺と接触板１０の一辺が一致するように配置されている。反射部８が設けられている辺と一致している接触板１０の辺には、反射部１２が一体に設けられている。反射部１２は、反射部８とは反対側の方向において、接触板１０に対して第２の角度、例えば鋭角、具体的には４５度をなしている。反射部１２の接触板１０と反対側の面には、反射面１２ａが形成されている。反射部１２と接触板１０とは、反射部８と接触板６と同様に、例えば金属製とすることもできるし、或いは合成樹脂製とし、反射面１２ａとなる面に反射膜を形成したものとすることもできる。
【００１８】
接触板６と接触板１０とは、相対回転可能に相対回転手段、例えば蝶ネジ１４とナット１６とによって結合されている。蝶ネジ１４は、面接触している接触板６、１０を貫通して直交する仮想線１８上に位置して、接触板６側から接触板６、１０を貫通し、接触板１０側でナット１６に螺合している。ナット１６は、接触板１０に固定することもできる。これによって、接触板６、１０は、仮想線１８の回りに相対回転可能である。仮想線１８は、図２に示すように、反射部８が設けられている辺の中央をこれに垂直に通る直線１９上にある。
【００１９】
この直線１９は、接触板６の尖った頂点を通っており、この直線１９に沿ってこの頂点の近傍に位置するように角度指示手段、例えば指針２０が接触板６に設けられている。また、接触板１０における接触板６と面接触せずに露出している面には、仮想線１８を中心とする円弧２２が描かれている。上述した直線１９上に位置し、円弧２２に到達する線が基準線２４とされて描かれ、この基準線２４の両側にそれぞれ仮想線１８を通る複数の角度線２６がそれぞれ描かれている。これら角度線２６は、隣接するものと所定の角度、例えば１５度をなし、基準線２４と隣接する角度線２６も基準線と所定の角度例えば１５度をなしている。これら基準線２４と角度線２６とによって、角度表示部、例えば角度目盛り２８が構成されている。円弧２２に沿って基準線２４、角度線２６が表す角度を数字で表すこともできる。なお、角度線２６は、最も細かく例えば１度間隔で設けることもできる。指針２０と角度目盛り２８とを使用することによって、接触板６、１０の相対回転角度を表示することができる。
【００２０】
図１に示すように、接触板１０における反射部１２が設けられている縁部と対向する縁部には、接触板１０と直交するように固定板３０が反射部１２と同じ方向に設けられている。固定板３０の接触板１０と反対側の面には、１対の角度調整用取付具３２ａが間隔をおいて固定板３０に垂直に固定されている。これら１対の角度調整用取付具３２ａ間に、水平に配置されたネジ３３によって、図２に示すように平面形状が概略Ｕ字状の角度調整用固定具３２ｂの両脚部が取り付けられている。角度調整用固定具３２ｂに挿通されたＵ字ボルト３４が支柱３６の両側を通り、角度調整用固定具３２ｂと支柱３６を挟んで反対側に位置する押圧具３８に挿通され、蝶ナット４０によって支柱３６に固定板３０を固定している。従って、反射鏡４が支柱３６に固定されている。支柱３６は、天井に対してほぼ直角になるように一端部に設けたフランジ４２をネジ４４によって天井に固定することによって取り付けられている。
【００２１】
ネジ３３は、仮想線１８と直交し、かつ反射部８と直交する線（直線１９に相当）にも直交して位置している。従って、ネジ３３の回りに角度調整用取付具３２ａを回転させることによって、この実施形態では、ミリ波多分岐装置１の仰角を調整することができる。角度調整用取付具３２ａと角度調整用固定具３２ｂとネジ３３によって角度調整手段、例えば仰角調整手段が構成されている。一般に支柱３６は天井等に鉛直に固定されているが、幾分鉛直よりも傾いて支柱３６が取り付けられてしまうことがある。このような場合にも仮想線１８が鉛直線に一致するようにするために、角度調整手段が設けられている。
【００２２】
このミリ波多分岐装置１は、図３（ａ）に示すように、１台のミリ波無線送信機４２から送信されたミリ波無線信号を、ミリ波無線送信機４２とほぼ同じ水平面内に位置し、ミリ波無線送信機４２と正対していない１台のミリ波無線受信機４４で受信できるように、ミリ波無線信号を水平面内で反射させると共に、同図（ｂ）に示すように、ミリ波無線送信機４２と異なる高さ位置にあってミリ波多分岐装置１の下方にある別のミリ波無線受信機４６でミリ波無線信号を受信できるように、ミリ波無線通信信号を垂直方向に反射させるものである。即ち、ミリ波多分岐装置１は、異なる２方向にミリ波無線信号を分岐させるものである。
【００２３】
そのため、まず図１に示すように反射部１２が図３（ｂ）に示すミリ波無線送信機４２と正対するように、支柱３６に固定板３０を取り付ける。この状態では、反射部１２は接触板１０に対して４５度の角度をなしているので、ミリ波無線送信機４２からのミリ波無線信号は、図１に示すように、反射部１２の反射面１２ａで下方に向かって直角に反射されて、図３（ｂ）に示すようにミリ波無線受信機４６に向かい、このミリ波無線受信機４６で受信される。
【００２４】
このとき、反射部８の反射面８ａがミリ波無線送信機４２に正対するように接触板６の位置を調整する。この状態では、図２及び図４（ａ）に示すように、指針２０は、基準線２４を指示している。この状態から、図４（ｂ）に示すように反射部８の反射面８ａが、ミリ波無線受信機４４に正対するように反射部８を回転させる。このとき指針２０が指示している角度を読み取る。これによって、ミリ波無線送信機４２とミリ波無線受信機４４との間の角度が判明する。次に、図４（ｃ）に示すように、読み取った角度の１／２だけ逆方向に反射面８ａが向くように接触板６を回転させる。これによって、反射面８ａに立てた垂線に対してミリ波無線送信機４２がなす角度と、ミリ波無線受信機４４とがなす角度が等しくなり、ミリ波無線送信機４２からのミリ波無線信号は、反射面８ａで反射されて、ミリ波無線受信機４４に向かい、ミリ波無線受信機４４で受信される。
【００２５】
第１の実施形態では、反射部８を仮想線１８の回りの任意の位置に回転させることが可能であるので、ミリ波無線受信機４４の設置位置が予め判明していなくても、ミリ波無線受信機４４に向けてミリ波無線送信機４２からのミリ波無線信号を反射させることができる。
【００２６】
第２の実施形態のミリ波多分岐装置１ａを図５に示す。このミリ波多分岐装置１ａでは、支柱３６への固定が反射鏡２側で行われる。そのため、反射部８の上端から支柱３６側に水平に板状部４８が伸び、この板状部４８の支柱３６側の端部から接触板６側に向かって板状部４８に対し垂直に固定板３０ａが伸びている。この固定板３０ａには、第１の実施形態のミリ波多分岐装置１の仰角調整用固定具３２ｂと同様な取付具３２が直接に取り付けられている。他の構成は、第１の実施形態のミリ波多分岐装置と同一であるので、同一部分には同一符号を付して、説明を省略する。なお、第１の実施形態と同様に仰角調整用取付具３２ａと仰角調整用固定具３２ｂとネジ３３とを利用して仰角を調整できるようにすることも可能である。
【００２７】
このミリ波多分岐装置１ａでは、図３に示したのと同様にミリ波無線送信機４２からのミリ波信号を、ミリ波無線受信機４４，４６で受信する場合、まずミリ波無線送信機４２に反射部８、１２が正対するように配置し、反射鏡２が移動しないように支柱３６に蝶ナット４０によって仮止めする。反射部１２がミリ波無線受信機４４に正対するように接触板１０を蝶ネジ１４の回りに回転させる。このとき、指針２０に対応する角度を読み取る。この読み取った角度の１／２の角度だけ接触板６を、接触板１０を回転させた方向と同じ方向に回転させる。このように調整した後、蝶ナット４０を固定し、反射鏡４をミリ波無線送信機４２に正対するように回転させる。その後、蝶ネジ１４で締め付けて、ミリ波多分岐装置１ａを固定する。
【００２８】
第３の実施形態のミリ波多分岐装置１ｂを図６及び図７に示す。このミリ波多分岐装置１ｂは、壁に取り付けられるようにしたものである。第１の実施形態のミリ波多分岐装置１と同等部分には同一符号を付して、その説明を省略する。ミリ波多分岐装置１ｂでは、固定板３０に第２の実施形態の取付部３２と同一の取付部が設けられ、これは押圧金具３８とＵ字ボルト３４と蝶ナット４０とによって、短円筒状の支持棒３６ａに固定されている。この支持部３６ａの下端は、平板状の水平板４６の一端に固定されている。水平板４６の他端には、水平板４６と垂直に固定部４８が設けられ、これが垂直な壁に接しており、ネジ５０によって壁に固定されている。
【００２９】
なお、第１の実施形態のミリ波多分岐装置１と同様に仰角を調整可能に角度調整用取付具３２ａ、角度調整用固定具３２ｂ及びネジ３３を用いて仰角を調整可能とすることもできる。また、図示は省略したが、第２の実施形態のミリ波多分岐装置１ａにおいても、支持棒３６ａ、水平板４６、固定部４８及びネジ５０を使用することによって、ミリ波多分岐装置１ａを壁に取り付けることもできる。この場合も、第１の実施形態と同様に角度調整可能とすることもできる。
【００３０】
上記の各実施形態では、反射部８は、接触板６に対して直角に配置したが、ミリ波無線受信機４４が、ミリ波無線送信機４２と異なる高さ位置、例えば上方または下方に配置される場合には、反射部８を接触板６に対して鋭角または鈍角をなすように配置することもできる。
【００３１】
また、上記の各実施形態では、反射部１２は接触板１０に対して４５度の角度をなすように配置したが、ミリ波無線受信機４６がミリ波多分岐装置１、１ａの真下よりも幾分ミリ波無線送信機４２側またはミリ波無線送信機４２と反対側に位置する場合には、ミリ波無線受信機４６の位置に応じて反射部１２が接触板１０に対して４５度以外の鋭角をなすように配置することもできる。
【００３２】
上記の各実施形態では、反射部８を接触板６に対して直角に、反射部１２を接触板１０に対して４５度に設けたが、例えばミリ波無線受信機４４は図３に示す場所に位置するが、ミリ波無線受信機４６が反射鏡２の真上に位置するような場合には、反射部８を接触板６に対して４５度をなすように設け、反射部１２を接触板１０に対して９０度をなすように設けることもできる。
【００３３】
上記の各実施形態では、接触板６、１０を蝶ネジ１４及びナット１６によって相対回転可能としたが、これに限ったものではなく、例えば接触板１０に仮想線１８を中心とする円弧状の溝を形成し、この溝内に接触板６に設けた案内部材を摺動させる構成とすることもできる。
【００３４】
上記の各実施形態では、仮想線１８が鉛直となるように反射鏡２、４を配置したが、これに限らず、例えば仮想線１８が水平となるように反射鏡２、４を配置することもできる。上記の各実施形態では、指針２０を接触板６に、角度目盛り２８を接触板１０に設けたが、逆に指針２０を接触板１０に、角度目盛り２８を接触板６に設けることもできる。
【００３５】
上記の各実施形態では、反射鏡２は１台のみ設けたが、反射鏡２と同一構成の別の反射鏡を、追加して設けて、ミリ波無線送信機４２やミリ波無線受信機４４と同じ水平面上のこれらと異なる位置に設けた別のミリ波無線受信機に対してミリ波無線送信機４２からのミリ波無線信号を反射させることもできる。
【符号の説明】
【００３６】
１  １ａ  ミリ波多分岐装置
２  反射鏡（第１の反射手段）
４  反射鏡（第２の反射手段）
６  接触板（第１の接触部）
８ａ  反射面
１０  接触板（第２の接触部）
１２ａ  反射面
１４  蝶ネジ（相対回転手段）
１６  ナット（相対回転手段）
１８  仮想線
【図１】
2011166611.tif 000003
【図２】
2011166611.tif 000004
【図３】
2011166611.tif 000005
【図４】
2011166611.tif 000006
【図５】
2011166611.tif 000007
【図６】
2011166611.tif 000008
【図７】
2011166611.tif 000009